(57)【特許請求の範囲】
【請求項１】
外筐体内に配設された電子回路に電源を供給する内部電源供給手段と、
外筐体内に配設された外部機器に対する接続用の接点と、
上記外筐体に形成され、上記接点を外方側に臨ませる開口部と、
上記開口部を閉蓋する閉蓋位置と該開口部を開蓋させる開蓋位置とに亘ってスライド可能に配設されたスライドシャッタと、
上記スライドシャッタを開蓋位置から閉蓋位置に向かう方向に付勢する付勢手段と、
上記スライドシャッタを上記閉蓋位置において掛止するロック部材と、
上記内部電源から上記電子回路に電源を供給する状態と上記外部機器より上記接点を介して上記電子回路に電源を供給する状態とを切替えるスイッチと、
上記スライドシャッタに設けられ、当該スライドシャッタが上記閉蓋位置にスライドされたときには上記スイッチを上記内部電源から上記電子回路に電源を供給する状態に切替え、当該スライドシャッタが上記開蓋位置にスライドされたときには上記スイッチを上記外部機器より上記接点を介して上記電子回路に電源を供給する状態に切替えるスイッチ操作突起と、
を備えることを特徴とする電子機器。
【請求項２】
上記スライドシャッタは、上記閉蓋位置にスライドされたとき当該スライドシャッタは上記ロック部材により上記外筐体の表面と面一となるように掛止され、上記付勢手段による付勢力に抗して上記開蓋位置にスライドされたとき当該スライドシャッタは上記閉蓋位置に位置するときよりも当該スライドシャッタのスライド方向に直交する方向について外筐体の内方側に移動されていることとなされたことを特徴とする請求項１記載の電子機器。
【請求項３】
上記ロック部材は、上記外筐体の一端部に支持され、
上記スライドシャッタは、上記ロック部材による掛止が解除された後、上記開蓋位置にスライドされることを特徴とする請求項２記載の電子機器。
【請求項４】
上記ロック部材は、一対のロック部材から構成され、一対の爪部と当接することにより上記スライドシャッタとの掛止が解除され、
上記スライドシャッタは、上記ロック部材による掛止が解除された後、上記一対の爪部により上記開蓋位置にスライドされることを特徴とする請求項３記載の電子機器。
【請求項５】
外筐体内に配設された電子回路に電源を供給する内部電源供給手段と、
外筐体内に配設された外部機器に対する接続用の接点と、
上記外筐体に形成され、上記接点を外方側に臨ませる開口部と、
上記開口部を閉蓋する閉蓋位置と該開口部を開蓋させる開蓋位置とに亘ってスライド可能に配設されたスライドシャッタと、
上記スライドシャッタを開蓋位置から閉蓋位置に向かう方向に付勢する付勢手段と、
上記スライドシャッタを上記閉蓋位置において掛止するロック部材と、
上記内部電源から上記電子回路に電源を供給する状態と上記外部機器より上記接点を介して上記電子回路に電源を供給する状態とを切替えるスイッチと、
上記スライドシャッタに設けられ、当該スライドシャッタが上記閉蓋位置にスライドされたときには上記スイッチを上記内部電源から上記電子回路に電源を供給する状態に切替え、当該スライドシャッタが上記開蓋位置にスライドされたときには上記スイッチを上記外部機器より上記接点を介して上記電子回路に電源を供給する状態に切替えるスイッチ操作突起と、
を備える電子機器と、
上記電子機器が装着される装着部と、
上記装着部に進入可能に設けられ、当該装着部に装着される電子機器の上記スライドシャッタを開蓋位置にスライドさせる爪部と、
上記接点と接続する接続端子と、
上記接続端子を介して上記電子機器に電源を供給する外部電源供給手段と
を備える電子機器用接続装置と
からなる電子機器電源供給システム。
【請求項６】
上記爪部は、上記装着部に進入する際、上記ロック部材と当接し当該ロック部材による上記スライドシャッタの掛止を解除したのち、上記スライドシャッタを上記開蓋位置にスライドさせることを特徴とする請求項５記載の電子機器電源供給システム。
【請求項７】
上記ロック部材は一対のロック部材から構成され、
上記爪部は一対の爪部から構成され、上記装着部に進入する際上記ロック部材と当接し当該ロック部材による上記スライドシャッタの掛止を解除したのち、上記スライドシャッタを上記開蓋位置にスライドさせることを特徴とする請求項６記載の電子機器電源供給システム。
【発明の詳細な説明】
【０００１】
【産業上の利用分野】
本発明は、テープレコーダ装置、ディスクレコーダ装置、ラジオ装置等として構成される電子機器及び電子機器電源供給システムに関する。
【０００２】
【従来の技術】
従来、テープレコーダ装置、ディスクレコーダ装置、ラジオ装置等として構成された電子機器が提案されている。このような電子機器としては、外側部に設けられた接点（接続ジャック）を介して、外部機器より電源供給を受けたり、該外部機器との間で情報信号の授受が行えるように構成されたものがある。
【０００３】
上記接点には、接続コードの先端側に取り付けられた接続プラグが接続される。上記電子機器は、上記接続コードを介して、外部機器に接続される。
【０００４】
そして、このような電子機器と外部機器との接続を容易に行うため、電子機器用接続装置が提案されている。この電子機器用接続装置は、上記電子機器を機械的に保持する装着部を有している。この装着部には、上記接点に接続される接続端子が配設されている。
【０００５】
すなわち、上記電子機器は、上記電子機器用接続装置の装着部に装着されることによって、上記接点に上記接続端子を接続され、外部から電源供給をなされたり、また、外部機器との間の情報信号の授受を行う。
【０００６】
【発明が解決しようとする課題】
ところで、上述のような電子機器及び電子機器用接続装置においては、特に、これら電子機器及び電子機器用接続装置が互いに接続されていない状態において、上記接点及び上記接続端子の保護が充分に図られない。
【０００７】
すなわち、上記接点及び上記接続端子は、手指や外部の種々の部材が接触される虞れがあり、摩耗や破損を生ずる虞れがある。
【０００８】
また、上記接点及び上記接続端子に手指等が接触されると、上記電子機器、上記電子機器用接続装置、あるいは、この電子機器用接続装置に接続された外部機器の内部回路が静電破壊を生ずる虞れがある。
【０００９】
さらに、上述のような電子機器及び電子機器用接続装置においては、この電子機器用接続装置に対して該電子機器が傾いた状態で装着される等の誤った装着状態を充分に防止することができない。このように、上記電子機器が上記電子機器用接続装置に対して誤った装着状態により装着されると、上記接点及び上記接続端子に過大な負荷が加えられ、これら接点及び接続端子が破損される虞れがある。
【００１０】
そこで、本発明は、上述の実情に鑑みて提案されるものであって、電子機器用接続装置の接続端子が接続される接点の保護が充分に図られ、内部回路の静電破壊が確実に防止され、また、該電子機器用接続装置に対して傾いた状態で装着される等の誤った装着状態で装着されることが確実に防止され、さらにまた、蓋の開閉で適切に電源供給元を選択することが可能とした電子機器及び電子機器電源供給システムを提供することを目的とする。
【００１１】
【課題を解決するための手段】
上述の課題を解決し上記目的を達成するため、本発明に係る電子機器は、外筐体内に配設された電子回路に電源を供給する内部電源供給手段と、外筐体内に配設された外部機器に対する接続用の接点と、上記外筐体に形成され、上記接点を外方側に臨ませる開口部と、上記開口部を閉蓋する閉蓋位置と該開口部を開蓋させる開蓋位置とに亘ってスライド可能に配設されたスライドシャッタと、上記スライドシャッタを開蓋位置から閉蓋位置に向かう方向に付勢する付勢手段と、上記スライドシャッタを上記閉蓋位置において掛止するロック部材と、上記内部電源から上記電子回路に電源を供給する状態と上記外部機器より上記接点を介して上記電子回路に電源を供給する状態とを切替えるスイッチと、上記スライドシャッタに設けられ、当該スライドシャッタが上記閉蓋位置にスライドされたときには上記スイッチを上記内部電源から上記電子回路に電源を供給する状態に切替え、当該スライドシャッタが上記開蓋位置にスライドされたときには上記スイッチを上記外部機器より上記接点を介して上記電子回路に電源を供給する状態に切替えるスイッチ操作突起と、を備えるようになされたものである。
【００１３】
また、本発明に係る電子機器電源供給システムは、外筐体内に配設された電子回路に電源を供給する内部電源供給手段と、外筐体内に配設された外部機器に対する接続用の接点と、上記外筐体に形成され、上記接点を外方側に臨ませる開口部と、上記開口部を閉蓋する閉蓋位置と該開口部を開蓋させる開蓋位置とに亘ってスライド可能に配設されたスライドシャッタと、上記スライドシャッタを開蓋位置から閉蓋位置に向かう方向に付勢する付勢手段と、上記スライドシャッタを上記閉蓋位置において掛止するロック部材と、上記内部電源から上記電子回路に電源を供給する状態と上記外部機器より上記接点を介して上記電子回路に電源を供給する状態とを切替えるスイッチと、上記スライドシャッタに設けられ、当該スライドシャッタが上記閉蓋位置にスライドされたときには上記スイッチを上記内部電源から上記電子回路に電源を供給する状態に切替え、当該スライドシャッタが上記開蓋位置にスライドされたときには上記スイッチを上記外部機器より上記接点を介して上記電子回路に電源を供給する状態に切替えるスイッチ操作突起と、を備える電子機器と、上記電子機器が装着される装着部と、上記装着部に進入可能に設けられ、当該装着部に装着される電子機器の上記スライドシャッタを開蓋位置にスライドさせる爪部と、上記接点と接続する接続端子と、上記接続端子を介して上記電子機器に電源を供給する外部電源供給手段とを備える電子機器用接続装置とからなるようになされたものである。
【００１４】
【作用】
本発明に係る電子機器においては、ロック部材は、外筐体内に配設された接点を外方側に臨ませる開口部を開閉するスライドシャッタ４を閉蓋位置にて確実に掛止することができる。
【００１５】
また、上述の電子機器において、上記スライドシャッタは、開蓋位置にスライドされたとき、閉蓋位置にあるときよりも、このスライドシャッタのスライド方向に直交する方向について外筐体の内方側に移動されていることとしたので、このスライドシャッタは、閉蓋位置となされたときには、外筐体に対して面一状態に上記開口部を閉蓋することができる。
【００１６】
さらに、本発明に係る電子機器及び電子機器電源供給システムは、上述の電子機器において、上記スライドシャッタは、開蓋位置にスライドされたとき、外方側より上記接点を介して電源供給される状態と内蔵電源より電源供給される状態とを切換えるスイッチを操作し、外方側より接点を介して電源供給される状態にすることとしたので、該スライドシャッタの開閉に連動して電源供給元が切換えられる。
【００１７】
【実施例】
以下、本発明の具体的な実施例を図面を参照しながら説明する。
【００１８】
この例は、本発明に係る電子機器を、デジタルテープレコーダ装置として構成した例である。このデジタルテープレコーダ装置は、後述する電子機器用接続装置に接続されることができる。
【００１９】
上記デジタルテープレコーダ装置は、図２乃至図７に示すように、外筐体２を有して構成されている。この外筐体２には、上面部に、図示しないテープカセットが入出されるテープカセット挿入口６が形成されている。このテープカセット挿入口６は、上記外筐体２に対して回動可能に取り付けられた蓋体５により開閉可能となされている。
【００２０】
そして、上記外筐体２内には、上記テープカセット挿入口６の内方側に位置して、上記テープカセットが装着されてこのテープカセットの磁気テープに対してデジタル情報信号の記録及び再生を行うテープドライブ部が内蔵されている。
【００２１】
上記テープドライブ部に装着されたテープカセットは、上記外筐体２の右側面部に回動可能に配設されたイジェクトレバー４を回動操作することにより、上記テープカセット挿入口６を介して取り出すことができる。
【００２２】
また、上記外筐体２内には、上記テープドライブ部の動作を制御する電子回路部が内蔵されている。
【００２３】
上記外筐体２の上面部には、表示装置７が配設されている。この表示装置７は、液晶表示板（ＬＣＤ）の如き表示デバイスを有して構成され、上記電子回路部に制御されることにより、上記テープドライブ部における動作モードに応じた情報信号を表示する。
【００２４】
そして、上記外筐体２の上面部分には、複数の押釦スイッチ８，１０，１１及びスライドスイッチ９が配設されている。また、上記外筐体２の前面部分には、複数の押釦スイッチ１６，１７，１８，１９が配設されている。
【００２５】
上記外筐体２の上面部分の押釦スイッチ８，８は、このデジタルテープレコーダ装置の再生出力のレベル（音量）を調整するボリュームスイッチである。
【００２６】
上記外筐体２の上面部分の押釦スイッチ１０は、上記テープドライブ部の動作を一時的に停止させるポーズスイッチである。
【００２７】
上記外筐体２の上面部分の押釦スイッチ１１，１１，１１は、上記表示装置７における表示内容を選択するスイッチである。
【００２８】
上記外筐体２の上面部分のスライドスイッチ１０は、録音モードを開始させるための録音開始スイッチである。
【００２９】
上記外筐体２の前面部分の押釦スイッチ１６は、再生モードを開始させ、また、再生中においてテープの走行方向を切換えるための再生開始スイッチである。上記外筐体２の前面部分の押釦スイッチ１７は、上記テープドライブ部の動作を停止させるストップスイッチである。
【００３０】
上記外筐体２の前面部分の押釦スイッチ１８は、早送りモードを開始させるための早送り（ＦＦ）スイッチである。
【００３１】上記外筐体２の前面部分の押釦スイッチ１９は、巻戻しモードを開始させるための巻戻し（ＲＥＷ）スイッチである。
【００３２】
そして、上記外筐体２の左側面部には、接続ジャック１３，１４が設けられている。これら接続ジャック１３，１４は、このデジタルテープレコーダ装置に対してマイクロホン装置やヘッドホン装置を接続させるためのものである。
【００３３】
上記外筐体２の底面部には、一側側部分、すなわち、左側側部分に位置して、開口部２４が設けられている。上記外筐体２の上記開口部２４内となる位置には、図８乃至部１１に示すように、外部機器に対する接続用の複数の接点５１が配設されている。すなわち、上記各接点５１は、上記開口部２４を介して、上記外方側２の外方側に臨んでいる。
【００３４】
そして、上記開口部２４は、図１に示すように、上記外筐体２に対してスライド可能に支持されたスライドシャッタ２２により、開閉可能となされている。
【００３５】
上記スライドシャッタ２２は、図８乃至図１３に示すように、上記外筐体２の底板部と該外筐体２の内側部に取り付けられたフレーム２８に挟持された状態に支持され、上記開口部２４を閉蓋する閉蓋位置及び該開口部２４を開蓋させる開蓋位置に亘って、前後側向、すなわち、上記デジタルテープレコーダ装置の一側側より他側側に亘る方向にスライド可能となされている。
【００３６】
上記スライドシャッタ２２は、上記外筐体２に対するスライド可能方向についての両側側部分に、それぞれ前後一対の支持杆４３，４４、４３，４４が突設されており、これら支持杆４３，４４、４３，４４を、上記外筐体２と上記フレーム２８との間に進入させている。
【００３７】
上記スライドシャッタ２２は、上記閉蓋位置にあるとき、外側面部を上記外筐体２の底面部に対して面一状態として、上記開口部２４を閉蓋している。
【００３８】
そして、上記スライドシャッタ２２は、上記開蓋位置にスライドされたとき、上記閉蓋位置にあるときよりも、このスライドシャッタ２２のスライド可能方向に直交する方向について上記外筐体２の内方側に移動されている。
【００３９】
すなわち、上記フレーム２８には、図１４に示すように、上記各支持杆４３，４４、４３，４４に対応して、上記スライドシャッタ２２が上記閉蓋位置にあるときに該各支持杆４３，４４、４３，４４の後方側となる位置に、ガイド片５３，３８、５３，３８が設けられている。これらガイド片５３，３８、５３，３８の前端側部分は、それぞれ傾斜面部５５，５４、５５，５４となされている。
【００４０】
上記スライドシャッタ２２が上記閉蓋位置より上記開蓋位置に向けて、すなわち、後方側にスライドされると、上記各支持杆４３，４４、４３，４４は、図１４中矢印Ｃで示すように、上記各傾斜面部５５，５４、５５，５４上を摺接しつつ、図１４中矢印Ｄで示すように、上記各ガイド片５３，３８、５３，３８に乗り上げるようにして、上記外筐体２の内方側に移動される。
【００４１】
したがって、上記スライドシャッタ２２は、上記開口部２４を開蓋するときには、この開口部２４より上記外筐体２の内方側に没入されてから、該開口部２４を開蓋する。
【００４２】
上記スライドシャッタ２２は、捻りコイルバネ３４により、図１中矢印Ａで示すように、閉蓋方向に付勢されている。この捻りコイルバネ３４は、一方のアーム部３６を、上記スライドシャッタ２２に上記外筐体２の内方側に向けて突出された掛止突起４５に掛止させ、他方のアーム部３５を上記フレーム２８の掛止部３７に掛止させている。
【００４３】
そして、上記スライドシャッタ２２は、一対のロック部材２３，２３により、上記閉蓋位置において掛止される。これらロック部材２３，２３は、上記フレーム２８の前方側部分、すなわち、上記外筐体２の一端部近傍となる部分に形成されたガイド部３９，３９により、該外筐体２の底板部に対する接離方向、すなわち、上下方向に移動可能に支持されている。
【００４４】
そして、これらロック部材２３，２３は、上記外筐体２内の一側側部分に突設された支持片部４９に取り付けられた板バネ４０の両端側のアーム部４７，４７により、それぞれ、図１中矢印Ｂで示すように、上記外筐体２の外方側方向、すなわち、下方側に付勢されて初期位置に位置決めされている。
【００４５】
上記各ロック部材２３，２３の後側部には、それぞれロック爪４１，４１が突設されている。上記各ロック部材２３，２３は、これらロック爪４１，４１を、上記スライドシャッタ２２の上記外筐体２の内方側に向いた面部に形成された被ロック溝４２，４２に掛止させることにより、該スライドシャッタ２２を上記閉蓋位置にて掛止する。すなわち、上記各ロック部材２３，２３は、上記スライドシャッタ２２の前端縁側の両側側部分となる２箇所において掛止する。
【００４６】
そして、上記各ロック部材２３，２３は、上記板バネ４０のアーム部４７，４７による付勢力に抗して上記上記外筐体２の底板部より離間する方向、すなわち、上方側に移動されることにより、上記ロック爪４１，４１による上記スライドシャッタ２２に対する掛止を解除し、このスライドシャッタ２２が開蓋方向にスライドされることを可能とする。
【００４７】
上記各ロック部材２３，２３の下面部は、上記外筐体２の一側部分において上記開口部２４より両側側に切り欠かれて形成された拡幅部５０，５０を介して、外方側に臨んでいる。これらロック部材２３，２３の下面部は、上記外筐体２の一端部の下縁部に沿って下方側に向いたテーパ状となっている。
【００４８】
すなわち、上記各ロック部材２３，２３は、上記外筐体２の一側側方向より水平に押圧されることにより、上方側に移動される。
【００４９】
そして、上記スライドシャッタ２２は、上記開蓋位置にスライドされたとき、上記外筐体２の外方側より上記各接点５１を介して電源供給される状態と、該外筐体２内に内蔵された内蔵電源より電源供給される状態とを切換えるスイッチ８９を操作し、該各接点５１を介して電源供給される状態にする。
【００５０】
すなわち、上記スライドシャッタ２２には、上記外筐体２の内方側に向けて、スイッチ操作突起４６が設けられている。このスイッチ操作突起４６は、上記外筐体２内に配設されたプリント基板３０に対向している。このプリント基板３０上には、上記スイッチ８９が配設されている。
【００５１】
上記スイッチ８９は、それぞれ基端側を上記プリント基板３０上の導体パターンに接続された板バネ状の一対の端子板３１，３２を有して構成されている。このスイッチ８９においては、上記各端子板３１，３２の先端側同士が互いに接触されることによって、投入状態となされる。このスイッチ８９においては、上記各端子板３１，３２の先端側同士は、初期状態において、互いに接触されている。
【００５２】
上記一対の端子板３１，３２の一方の先端側には、被操作片３３が取り付けられている。この被操作片３３は、上記スライドシャッタ２２の上記開蓋位置へのスライドに伴う上記スイッチ操作突起４６の移動軌跡上に位置している。この被操作片３３は、上記スライドシャッタ２２が上記開蓋位置へスライドされると、上記スイッチ操作突起４６によって押圧されて、上記各端子板３１，３２の先端側同士を互いに離間させる。
【００５３】
このデジタルテープレコーダ装置においては、図１５に示すように、外部電源ジャック６９を介して、外部より直流電源が供給される。上記外部電源ジャック６９のプラス端子８４は、ラインフィルタ８２を介して、電源基板８８の（＋Ｂ）部に接続されている。また、上記外部電源ジャック６９のマイナス端子８５は、上記ラインフィルタ８２を介して、上記電源基板８８の（＋Ｂ・ＧＮＤ）部に接続されている。
【００５４】
上記（＋Ｂ）部及び上記（＋Ｂ・ＧＮＤ）部は、それぞれ上記電子回路部９１に接続されており、この電子回路部９１に対する電源供給が行われる。
【００５５】
そして、上記外部電源ジャック６９のマイナス端子８５には、内蔵電源である乾電池６０の陰極２が接続されている。この乾電池６０の陽極は、上記電源基板８８の（＋Ｂ・ＳＷ）部に接続されている。この（＋Ｂ・ＳＷ）部は、上記スイッチ８９を介して、上記電子回路部９１に接続されている。
【００５６】
すなわち、上記スイッチ８９が投入状態であるときには、上記乾電池６０よりの電源が上記電子回路部９１に供給され、該スイッチ８９が遮断状態であるときには、該乾電池６０より該電子回路部９１への電源供給が断たれ、上記外部電源ジャック６９を介して供給される電源のみが、該電子回路部９１へ供給される。なお、二次電池９０が上記（＋Ｂ・ＧＮＤ）と上記電源基板８８の（３Ｖ）部との間に接続されている。この二次電池９０は、メモリの保持、時計の駆動等のための、このデジタルテープレコーダの非作動中において必要な電源の供給を行う。
【００５７】
そして、上記デジタルテープレコーダ装置は、上記各接点５１を介して、上記電子機器用接続装置に接続される。
【００５８】
上記電子機器用接続装置は、図１６乃至図２１に示すように、筐体１０２を有して構成されている。この筐体１０２の上面部には、装着部１０９が形成されている。この装着部１０９は、上記デジタルテープレコーダ装置１が水平状に嵌合される凹部状に形成されている。
【００５９】
上記装着部１０９内の他側側の内壁部には、一対の係合部１１１，１１１が突設されている。これら係合部１１１，１１１は、図２６に示すように、上記外筐体２が他側側より上記装着部１０９内に嵌入されたとき、該外筐体２の他側部に形成された一対の係合孔１５，１５に嵌入係合する。
【００６０】
また、上記外筐１０２には、上記装着部１０９の近傍に位置して、上記デジタルテープレコーダ装置１が該装着部１０９に対して位置決めされて載置されたときに、該デジタルテープレコーダ装置１の外側部に設けられた接続ジャック１３，１４を覆い隠す壁部が突設されている。
【００６１】
上記筐体１０２内には、図２１乃至図２９に示すように、シャーシ１２１が固定して配設されている。このシャーシ１２１上には、スライダ１７５が、この電子機器用接続装置１０１の一側側より他側側に亘る方向にスライド可能に配設されている。すなわち、このスライダ１７５は、一端側及び他端側にそれぞれ一対の支持スリット１７６，１７８を有し、これら支持スリット１７６，１７８に上記シャーシ１２１に植設された支持ピン１２７，１２８を対応して挿通させることにより、該シャーシ１２１上をスライド可能となされている。
【００６２】
上記スライダ１７５は、上記デジタルテープレコーダ１のスライドシャッタ２２に対する上記各ロック部材２３，２３によるロックを解除し、このスライドシャッタ２２を開蓋させる爪部材となる一対の爪部１１５，１１５を有している。これら爪部１１５，１１５は、上記スライダ１７５より立設された一対の突片部１７９，１７９の端部として形成されている。これら突片部１７９，１７９の間には、切り欠き部１８０が形成されている。
【００６３】
上記各突片部１７９，１７９は、互いに平行に対向されて立設され、上端縁部が互いに離反する方向に鈎状に屈曲されている。
【００６４】
上記スライダ１７５は、上記各爪部１１５，１１５を、上記筐体１０２に形成された透孔を介して、上記装着部１０９内の一側側部分に臨ませている。上記スライダ１７５は、他側側にスライドされると、上記各爪部１１５，１１５を、上記装着部１０９内に進入させる。
【００６５】
上記各爪部１１５，１１５は、上記装着部１０９内に上記デジタルテープレコーダ１の外筐体２が装着されているときに該装着部１０９に進入されると、図２６に示すように、上記各ロック部材２３，２３のテーパ状の下面部に対応して当接し、これらロック部材２３，２３を上方側に移動させ、これらロック部材２３，２３による上記スライドシャッタ２２に対するロックを解除させる。このとき、上記各爪部１１５，１１５は、さらに上記装着部１０９に進入されると、上記スライドシャッタ２２を開蓋させる。
【００６６】
そして、上記各爪部１１５，１１５が上記スライドシャッタ２２を開蓋させたとき、上記各突片部１７９，１７９の上端側の鈎状部が上記各拡幅部５０，５０を介して上記デジタルテープレコーダ１の外筐体２内に進入しており、該各突片部１７９，１７９は、上記開口部２４を介して該外筐体２内に進入している。
【００６７】
したがって、このとき、上記各突片部１７９，１７９は、上端側の鈎状部を上記開口部２４の両縁部に内側より係合させており、上記係合部１１１，１１１と共働して、上記外筐体２を上記装着部１０９上に掛止している。
【００６８】
そして、上記シャーシ１２１の下面側には、図２５に示すように、移動部材となる回動アーム１５５が、回動可能に取り付けられている。この回動アーム１５５は、基端側の挿通孔１６６に挿通させた支軸１６４を介して、上記シャーシ１２１の略々中央部に下方側に向けて突設された一対の支持片１３０，１３０に対して、該基端側を回動可能に支持されている。上記支軸１６４は、上記各支持片１３０，１３０に形成された支持孔１３１，１３１により両端側を支持されている。
【００６９】
上記回動アーム１５５の先端側には、上記デジタルテープレコーダ装置１の各接点５１に接続される接続端子１５９が支持されている。この接続端子１５９は、基材部１５８上に配列されて取り付けられ、この基材部１５８が上記回動アーム１５５の先端側に取り付けられることによって、該回動アーム１５５上に支持されている。
【００７０】
上記基材部１５８は、両端側部分にネジ挿通孔１６０を有し、このネジ挿通孔１６０に挿通されたネジ１６１，１６１が上記回動アーム１５５のネジ孔１５７，１５７に螺入されることにより、該回動アーム１５５に取り付けられている。上記回動アーム１５５は、先端側を上方に向ける方向に回動されることにより、図２７に示すように、上記シャーシ１２１の一側側部分に形成された透孔１２２、上記スライダ１７５の切り欠き部１８０及び上記外筐１０２に設けられた透孔１１３を介して、上記装着部１０９内の一端側部分に下方側より進入される。また、上記回動アーム１５５は、先端側を下方に向ける方向に回動されることにより、図２５に示すように、上記外筐１０２の透孔１１３を介して、上記装着部１０９より下方側に退出される。
【００７１】
すなわち、上記回動アーム１５５は、上記接続端子１５９を上記装着部１０９に対して進退可能としている。
【００７２】
なお、上記回動アーム１５５の回動範囲は、この回動アーム１５５の先端側が上記シャーシ１２１の下面部に当接する位置より、この回動アーム１５５の基端側方向に突設された当接片１６３が該シャーシ１２１の下面部に当接する位置までの範囲として規制されている。
【００７３】
上記スライダ１７５は、上記爪部１１５，１１５を上記装着部１０９内に進入させる方向にスライドされると、上記回動アーム１５５の基端側方向に突設されたカム部１６７を介して、該回動アーム１５５を上記接続端子１５９が上記装着部１０９に進入されることとなる方向に回動させる。上記カム部１６７は、上記回動アーム１５５の基端側方向に突設され、先端側部分が上方側に向けて傾斜されている。
【００７４】
上記スライダ１７５には、上記カム部１６７に対向するローラ体１８４が取り付けられている。このローラ体１８４は、円環状に形成され、上記スライダ１７５上に垂設された支持片１８６の支持孔１８７に水平に植設された支軸１８５により、回転可能に支持されている。このローラ体１８４と上記カム部１６７とは、上記シャーシ１２１の他側側部分に形成された透孔１２５を介して、互いに対向している。
【００７５】
上記スライダ１７５は、付勢部材となる引っ張りコイルバネ１８２により、図２１中矢印Ｅで示すように、上記各爪部１１５を上記装着部１０９内に進入させる方向に付勢されている。この引っ張りコイルバネ１８２は、上記スライダ１７５上の掛止片１８１と上記シャーシ１２１上の掛止部１３８との間に張架されている。
【００７６】
また、上記回動アーム１５５は、引っ張りコイルバネ１６８により、図２１中矢印Ｇで示すように、上記接続端子１５９を上記装着部１０９より退出させる方向に付勢されている。この引っ張りコイルバネ１６８は、上記回動アーム１５５の基端側より下方向に突設された掛止片１６５と上記シャーシ１２１に形成された掛止部２００との間に張架されている。
【００７７】
上記スライダ１７５は、一端側部分に一対の被掛止部１９８，１９８を有し、これら被掛止部１９８，１９８を掛止部材となる掛止爪１７４，１７４により掛止されることにより、上記各爪部１１５，１１５を上記装着部１０９より退出させる初期位置にて位置決めされている。
【００７８】
上記掛止爪１７４，１７４は、上記シャーシ１２１の下面部にネジ１７２，１７２により互いに平行となされて取り付けられた一対の板バネ１７０，１７３の先端側部分が上方側に屈曲されることにより形成されている。これら掛止爪１７４，１７４は、上記各板バネ１７０，１７３の弾性力により、図２１中矢印Ｈで示すように、上方側に向けて付勢されている。これら掛止爪１７４，１７４は、上記シャーシ１２１の一側側部分に形成された一対の透孔１２３，１２３を介して、このシャーシ１２１の上方側に突出されている。
【００７９】
上記各板バネ１７０，１７３の先端側には、それぞれ検出部材となる検出板１１２，１１２が取り付けられている。これら検出板１１２，１１２は、上記各板バネ１７０，１７３が初期位置にあるとき、上記シャーシ１２１の各透孔１２３，１２３を介して該シャーシ１２１の上方側に突出され、さらに、上記装着部１０９の一側側部分の底面部に位置して上記筐体１０２に設けられたスリット状透孔を介して、該装着部１０９の底面部より上方側に突出されている。
【００８０】
これら、検出板１１２，１１２は、上記デジタルテープレコーダ装置１が上記装着部１０９に載置されたときに、このデジタルテープレコーダ装置１の各接点５１の近傍である一側側部分により押圧されて移動し、上記掛止爪１７４，１７４による該スライダ１７５に対する掛止を解除させる。
【００８１】
また、一方の板バネ１７０は、上記シャーシ１２１の他側側部分に亘って延在されており、該他側側の先端側部分に、検出部材であり、掛止部材でもある検出ピン１１０が植設されている。この検出ピン１１０は、上記シャーシ１２１に形成された透孔１９７及び上記装着部１０９内の底面部の他側側に位置して形成された透孔を介して、該底面部より上方側に突出されている。この検出ピン１１０は、上記板バネ１７０の弾性力により、図２１中矢印Ｊで示すように、上方側に向けて付勢されている。
【００８２】
上記検出ピン１１０は、図３０及び図３１に示すように、上記板バネ１７０上に上方に向けて垂設された円筒状のピンであり、図３１中矢印Ｐで示す一定の直径を有している。この検出ピン１１０は、略々中央の高さ位置に、図３１中矢印Ｌで示す該検出ピン１１０の直径よりは小径の直径を有する第１の縮径部１９３を有している。この第１の縮径部１９３の下側（基端側）は、下方側に向けて徐々に拡径されたテーパ部１９４となっている。そして、上記テーパ部１９４の下側には、第２の縮径部１９５が形成されている。この第２の縮径部１９５は、上記第１の縮径部１９３と略々等しい径となっている。
【００８３】
また、上記第２の縮径部１９５の下側には、図３１中矢印Ｎで示す上記検出ピン１１０の直径よりは小径の直径を有する第３の縮径部１９６が形成されている。この第３の縮径部１９６は、上記第２の縮径部１９５よりは大径となっている。この第３の縮径部１９６は、上記板バネ１７０が変位されていない初期状態において、上記シャーシ１２１の上面部に沿う高さ位置となされている。
【００８４】
そして、上記スライダ１７５の他側側には、図２１に示すように、上記検出ピン１１０に対応して、図３１中矢印Ｍで示す一定の幅を有するスリット状切り欠き部１７７が形成されている。このスリット状切り欠き部１７７は、他側側に向けて開放されており、図３１に示すように、この開放端を上記検出ピン１１０に対向させている。
【００８５】
上記スリット状切り欠き部１７７の幅は、図３１に示すように、上記第２の縮径部１９５の直径よりは広く、上記第３の縮径部１９６の直径よりは狭くなっている。
【００８６】
したがって、上記板バネ１７０が初期状態であるときに、上記スライダ１７５が他側側に向けてスライドされると、上記スリット状切り欠き部１７７の開放端部の両側の角部分が、上記第３の縮径部１９６に当接して、該スライダ１７５は停止される。また、この状態においては、上記スリット状切り欠き部１７７の開放端部の両側の角部分が、上記第３の縮径部１９６の上下の縁間に挟まった状態となっているため、上記検出ピン１１０は、下方側に移動することが阻止されている。
【００８７】
そして、上記シャーシ１２１には、リリースアーム１５０が回動可能に取り付けられている。このリリースアーム１５０は、上記シャーシ１２１の下面部に位置し、中央部に形成された支持孔１５２に該シャーシ１２１に植設された支軸１３７を挿通させることにより、回動可能に支持されている。このリリースアーム１５０は、一端側にリリースピン１５１を有し、このリリースピン１５１を上記スライダ１７５の他側部に対向させている。
【００８８】
このリリースアーム１５０の他端側には、連係ピン１４９が植設されている。この連携ピン１４９は、上記シャーシ１２１の前端縁部にスライド可能に取り付けられたリリーススライダ１４５に回動可能に連係されている。
【００８９】
上記リリーススライダ１４５は、複数の支持爪１４６を有し、これら支持爪１４６を上記シャーシ１２１に形成された支持スリット１４０，１４１，１４２，１４３に対応させて挿通係合させることにより、該シャーシ１２１に対して側方方向にスライド可能となされている。このリリーススライダ１４５は、連係溝１４８が形成された連係片１４７を有し、該連係溝１４８に上記連係ピン１４９を連係させている。
【００９０】
また、上記リリーススライダ１４５は、前面部に、リリース摘み１０７を有している。
【００９１】
上記リリースアーム１５０は、引っ張りコイルバネ１５４により、図２１中矢印Ｋで示すように、上記リリースピン１５１を上記スライダ１７５より離間させる方向に回動付勢されている。上記引っ張りコイルバネ１５４は、上記リリースアーム１５０に形成された掛止部１５３と上記シャーシ１２１に形成された掛止部１３６との間に張架されている。
【００９２】
そして、上記シャーシ１２１上には、上記スライダ１７５が上記各掛止爪１７４，１７４により掛止されているときに上記接続端子１５９を覆うシャッタ部材１１４が配設されている。
【００９３】
このシャッタ部材１１４は、基端側に支持孔１８９を有し、この支持孔１８９に上記シャーシ１２１上に植設された支軸１３２を挿通させることにより、回動可能に支持されている。このシャッタ部材１１４の先端側は、平板状のシャッタ板部となされている。このシャッタ部材１１４は、中途部に連係片部１９０を有している。そして、上記スライダ１７５には、上記連係片部１９０に対応する連係突片１９２が突設されている。
【００９４】
このシャッタ部材１１４は、引っ張りコイルバネ１９１により、図２１中矢印Ｆで示すように、上記接続端子１５９を覆う位置となる方向に回動付勢されている。上記引っ張りコイルバネ１９１は、上記シャッタ部材１１４に形成された掛止部と上記シャーシ１２１に形成された掛止部１３９との間に張架されている。そして、上記シャッタ部材１１４は、上記スライダ１７５が上記引っ張りコイルバネ１８２の付勢力によってスライドされると、このスライダ１７５のスライドに連動して、上記連係突片１９２及び上記連係片部１９０を介して回動操作され、上記接続端子１５９を外方側に臨ませる。
【００９５】
この電子機器用接続装置１０１においては、上記デジタルテープレコーダ装置１が上記装着部１０９に対して、上記各係合部１１１，１１１を上記各係合孔１５，１５に嵌入係合させる状態で載置されると、まず、上記検出ピン１１０が該デジタルテープレコーダ装置１の外筐体２の他側側部分により、下方側に押圧される。このとき、上記スライダ１７５のスリット状切り欠き部１７７の開放端部は、上記検出ピン１１０の第２の縮径部１９５に対向する状態となる。
【００９６】
そして、上記デジタルテープレコーダ装置１の外筐体２の一側側部分も上記装着部１０９に対して装着されると、上記各検出板１１２，１１２が下方側に押圧され、上記各掛止爪１７４，１７４による上記スライダ１７５に対する掛止が解除される。また、このとき、上記爪部１１５，１１５により、上記ロック部材２３，２３による上記スライドシャッタ２２に対するロックが解除されている。
【００９７】
したがって、このとき、上記スライダ１７５は、図２３中に矢印Ｑで示すように、上記引っ張りコイルバネ１８２によりスライドされて、上記各爪部１１５，１１５により該スライドシャッタ２２を開蓋させる。
【００９８】
すると、上記回動アーム１５５が回動操作され、上記接続端子１５９は、上記デジタルテープレコーダ装置１の各接点５１に接続される。
【００９９】
このとき、上記デジタルテープレコーダ装置１は、図３２乃至図３４に示すように、上記装着部１０９内に、上記各係合部１１１，１１１及び上記各突片部１７９，１７９により、位置決めされた状態で保持されている。
【０１００】
なお、上記シャッタ部材１１４は、図２３に示すように、上記接続端子１５９を上方側に臨ませる位置に回動されたとき、上記シャーシ１２１上に配設されたクッション部材１３３により、回動を停止される。
【０１０１】
また、上記スライダ１７５は、上記引っ張りコイルバネ１８２によりスライドされたときには、他側側の縁部に立設された壁部１８８を上記シャーシ１２１上に配設されたクッション１３４に当接させて停止される。
【０１０２】
この電子機器用接続装置１０１において、上記接続端子１５９には、種々の電子回路が接続されており、上記デジタルテープレコーダ装置１との間で、上記各接点５１を介して、情報信号の授受や電源供給が行われる。この電子機器用接続装置１０１には、電源スイッチ１０３、操作スイッチ１０４、情報信号の入出力端子１１６，１０８，１１８，１１９、外部電源供給端子１２０、ボリューム摘み１０６、表示部１０５等が設けられている。
【０１０３】
そして、この電子機器用接続装置１０１においては、図２４において矢印Ｒで示すように、上記リリース摘み１０７により上記リリーススライダ１４５をスライドさせ、上記引っ張りコイルバネ１５４の回動付勢力に抗して、上記リリースアーム１５０を回動させることにより、図２４において矢印Ｓで示すように、上記リリースピン１５１により、上記スライダ１７５を初期位置に戻すことができる。上記初期位置に戻された上記スライダ１７５は、上記掛止爪１７４，１７４により掛止されて、該初期位置に保持される。
【０１０４】
上記スライダ１７５が初期位置に戻ることにより、上記デジタルテープレコーダ装置１においては、上記スライドシャッタ２２が閉蓋されて上記各ロック部材２３，２３によりロックされ、そして、上記装着部１０９より取り出されることが可能となる。
【０１０５】
この電子機器用接続装置１０１においては、上記各検出板１１２，１１２が２箇所に設けられているため、いずれか一方の検出板１１２が押圧されても、双方の検出板１１２，１１２が押圧されないと、上記各掛止爪１７４，１７４による上記スライダ１７５に対する掛止が解除されない。したがって、上記デジタルテープレコーダ装置１が上記装着部１０９に対して傾斜した状態で装着されても、上記スライダ１７５に対する掛止が解除されることがない。
【０１０６】
また、この電子機器用接続装置１０１においては、上記検出ピン１１０が上記装着部１０９に載置されたデジタルテープレコーダ装置１の他側側部分により押圧される位置に設けられており、上記各検出板１１２，１１２が押圧されても、上記検出ピン１１０が押圧されないと、この検出ピン１１０が上記スライダ１７５のスライドを阻止する。したがって、上記デジタルテープレコーダ装置１が上記装着部１０９に対して傾斜した状態で装着されても、上記スライダ１７５がスライドされることがない。
【０１０７】
すなわち、上記スライダ１７５は、上記デジタルテープレコーダ装置１が上記装着部１０９内の正しい位置に装着され、該デジタルテープレコーダ装置１により上記検出ピン１１０、検出板１１２，１１２の全てが押圧されたとき、上記爪部１１５，１１５により上記ロック部材２３，２３による上記スライドシャッタ２２に対するロックを解除させ、上記引っ張りコイルバネ１８２によりスライドされて、該爪部１１５，１１５により該スライドシャッタ２２を開蓋させるとともに、上記カム部１６７を介して上記回動アーム１５５を移動させ、上記接続端子１５９を該デジタルテープレコーダ装置１の各接点５１に接続させる。
【０１０８】
【発明の効果】
上述のように、本発明に係る電子機器においては、ロック部材は、外筐体内に配設された接点を外方側に臨ませる開口部を開閉するスライドシャッタを閉蓋位置にて確実に掛止することができる。
【０１０９】
また、上述の電子機器において、上記スライドシャッタは、開蓋位置にスライドされたとき、閉蓋位置にあるときよりも、このスライドシャッタのスライド方向に直交する方向について外筐体の内方側に移動されていることとしたので、このスライドシャッタは、閉蓋位置となされたときには、外筐体に対して面一状態に上記開口部を閉蓋することができる。このため、閉蓋時に粉塵が溜まるような凹部が形成されるおそれがないため、開蓋時に溜まった粉塵との接触により接点が静電破壊するおそれもなくすることができる。
【０１１０】
さらにまた、本発明に係る電子機器及び電子機器電源供給システムにおいて、上記スライドシャッタは、開蓋位置にスライドされたとき、外方側より上記接点を介して電源供給される状態と内蔵電源より電源供給される状態とを切換えるスイッチを操作し、外方側より接点を介して電源供給される状態にすることとしたので、該スライドシャッタの開閉に連動して電源供給元が切換えられる。
【０１１１】
すなわち、本発明は、電子機器用接続装置の接続端子が接続される接点の保護が充分に図られ、内部回路の静電破壊が確実に防止され、また、端子と接点との接続を電気的に監視することなく、蓋の開閉にて適切に電源供給元を選択することが可能となるため、ユーザに余計な負担を強いることなく、また、電子機器の制御手段に負担をかけることなく低コストで確実に電源切替えを実行することができる。そしてまた、スライドシャッタを閉方向に付勢する付勢手段を設けているため電子機器を電子機器用接続装置から離した状態で使用する際、スライドシャッタが自動的に閉まると共に電源供給元を切替える動作をすることなく内蔵電源より電源を供給する状態に切替えることが可能となり、ユーザの利便性を向上することができる。
【図面の簡単な説明】
【図１】本発明に係る電子機器の要部の構成を示す分解斜視図である。
【図２】上記電子機器の構成を示す右側面図である。
【図３】上記電子機器の構成を示す平面図である。
【図４】上記電子機器の構成を示す左側面図である。
【図５】上記電子機器の構成を示す正面図である。
【図６】上記電子機器の構成を示す底面図である。
【図７】上記電子機器の構成を示す背面図である。
【図８】上記電子機器の外筐体の底面部の構成を透視して示す底面図である。
【図９】上記電子機器の外筐体の底面部の構成を示す平面図である。
【図１０】上記電子機器の外筐体の底面部の要部の構成を透視して示す拡大底面図である。
【図１１】上記電子機器の外筐体の底面部の要部の構成を示す拡大平面図である。
【図１２】図１１におけるＢ−Ｂ断面であって、上記電子機器の外筐体の底面部の要部の構成を示す拡大縦断面図である。
【図１３】図１１におけるＡ−Ａ断面であって、上記電子機器の外筐体の底面部の要部の構成を示す拡大縦断面図である。
【図１４】上記電子機器の外筐体の底面部の要部の構成を示す拡大斜視図である。
【図１５】上記電子機器の回路部の要部を示す回路図である。
【図１６】本発明に係る電子機器が接続される電子機器用接続装置の構成を示す平面図である。
【図１７】上記電子機器用接続装置の構成を示す正面図である。
【図１８】上記電子機器用接続装置の構成を示す背面図である。
【図１９】上記電子機器用接続装置の構成を示す側面図である。
【図２０】上記電子機器用接続装置の表示部の構成を示す平面図である。
【図２１】上記電子機器用接続装置の要部の構成を示す分解斜視図である。
【図２２】上記電子機器用接続装置の要部の構成を示す平面図である。
【図２３】上記電子機器用接続装置に上記電子機器が接続された状態における要部の構成を示す平面図である。
【図２４】上記電子機器用接続装置に接続された上記電子機器の接続を解除する状態における要部の構成を示す平面図である。
【図２５】上記電子機器用接続装置の要部の構成を示す正面図である。
【図２６】上記電子機器用接続装置に上記電子機器を接続している状態における要部の構成を示す拡大正面図である。
【図２７】上記電子機器用接続装置に上記電子機器が接続された状態における要部の構成を示す拡大正面図である。
【図２８】上記電子機器用接続装置に上記電子機器が接続された状態における要部の構成を示す正面図である。
【図２９】上記電子機器用接続装置の要部の構成を示す側面図である。
【図３０】上記電子機器用接続装置の他側側検出ピンの構成を示す拡大側面図である。
【図３１】上記電子機器用接続装置の他側側検出ピンの構成を示す拡大平面図である。
【図３２】上記電子機器用接続装置に上記電子機器が接続された状態を示す平面図である。
【図３３】上記電子機器用接続装置に上記電子機器が接続された状態を示す正面図である。
【図３４】上記電子機器用接続装置に上記電子機器が接続された状態を示す側面図である。
【符号の説明】
１ デジタルテープレコーダ装置
１３，１４ 接続ジャック
２２ スライドシャッタ
２３ ロック部材
２４ 開口部
５１ 接点
８９ スイッチ
１０１ 電子機器用接続装置
１０９ 装着部
１１０ 検出ピン
１１１ 係合部
１１２ 検出板
１１４ シャッタ部材
１１５ 爪部
１５５ 回動アーム
１５９ 接続端子
１６７ カム部
１７４ 掛止爪
１７５ スライダ
１８２ 引っ張りコイルバネ
【図１】
0003709577.tif 000002
【図２】
0003709577.tif 000003
【図３】
0003709577.tif 000004
【図４】
0003709577.tif 000005
【図５】
0003709577.tif 000006
【図６】
0003709577.tif 000007
【図７】
0003709577.tif 000008
【図８】
0003709577.tif 000009
【図９】
0003709577.tif 000010
【図１０】
0003709577.tif 000011
【図１１】
0003709577.tif 000012
【図１２】
0003709577.tif 000013
【図１３】
0003709577.tif 000014
【図１４】
0003709577.tif 000015
【図１５】
0003709577.tif 000016
【図１６】
0003709577.tif 000017
【図１７】
0003709577.tif 000018
【図１８】
0003709577.tif 000019
【図１９】
0003709577.tif 000020
【図２０】
0003709577.tif 000021
【図２１】
0003709577.tif 000022
【図２２】
0003709577.tif 000023
【図２３】
0003709577.tif 000024
【図２４】
0003709577.tif 000025
【図２５】
0003709577.tif 000026
【図２６】
0003709577.tif 000027
【図２７】
0003709577.tif 000028
【図２８】
0003709577.tif 000029
【図２９】
0003709577.tif 000030
【図３０】
0003709577.tif 000031
【図３１】
0003709577.tif 000032
【図３２】
0003709577.tif 000033
【図３３】
0003709577.tif 000034
【図３４】
0003709577.tif 000035